(57)【要約】【課題】装飾品本来の価値を損なうことなく、指に対する装着感に優れた指輪を提供すること。【解決手段】複数の片を連結して成る環状体１５を有する指輪１０であって、環状体１５の一部を構成し、内部寸法の調節に用いられる調節片１１と、調節片１１に連結され、環状体１５の残部を構成する複数の第１連結片１２〜第３連結片１４とを具備し、調節片１１とこれに隣接する第１連結片１２及び第３連結片１４との連結部分に、当該調節片１１とこれに隣接する第１連結片１２及び第３連結片１４とを離接する離接機構を備えたことを特徴とする。【選択図】図１
2008023002.tif 000002
【特許請求の範囲】
【請求項１】
複数の片を連結して成る環状体を有する指輪であって、前記環状体の一部を構成し内部寸法の調節に用いられる調節片と、前記調節片に連結され前記環状体の残部を構成する複数の連結片とを具備し、前記調節片とこれに隣接する前記連結片との連結部分に、当該調節片とこれに隣接する前記連結片とを離接する離接機構を備えたことを特徴とする指輪。
【請求項２】
前記調節片及びこれに隣接する前記連結片は、一方が他方側に向けて延在し内部に溝部が形成された挿入部を有し、他方が前記挿入部を収容する収容部と、前記収容部内に配置され前記溝部内を移動可能な保持部材とを有することを特徴とする請求項１記載の指輪。
【請求項３】
前記溝部は、前記保持部材を段階的に移動させる形状を有することを特徴とする請求項２記載の指輪。
【請求項４】
前記溝部の内壁に、前記保持部材の移動を規制する規制部材を形成したことを特徴とする請求項３記載の指輪。
【請求項５】
前記保持部材を弾性材料で形成したことを特徴とする請求項２から請求項４のいずれかに記載の指輪。
【請求項６】
前記溝部の内壁に、前記保持部材が摺接する摺接層を配設することを特徴とする請求項２記載の指輪。
【請求項７】
前記摺接層を、弾性素材で形成したことを特徴とする請求項６記載の指輪。
【発明の詳細な説明】
【技術分野】
【０００１】
本発明は、指輪に関し、特に、装着される指の太さに応じてその内部寸法を調節する機能を有する指輪に関する。
【背景技術】
【０００２】
一般に、指輪を装着する場合には、装着したい指の最も太い部分（例えば、第２関節周辺部分など）を基準として指輪の号数が選択される。しかしながら、装着したい指における装着箇所（例えば、第２間接と第３間接との間）が、指の最も太い部分と比べて細い場合には、装着箇所で指輪が回転してしまう問題が発生する。
【０００３】
従来、このような問題に対応する指輪として、環状体の内周面に即して円弧状に形成した金属製弾性体を、その一端側を内周面上に対して浮かせた状態で取り付け、装着箇所における装着感を高めるものが提案されている（例えば、特許文献１参照）。
【特許文献１】登録実用新案第３００６２０３号公報
【発明の開示】
【発明が解決しようとする課題】
【０００４】
しかしながら、上述のような従来の指輪においては、環状体自体の外径は一定であるため、当該指輪の外径が指における装着箇所と比べて太い場合には、指輪が指から離間した印象を与えることとなり、見栄えが悪く、装飾品本来の価値を損なってしまうという問題がある。
【０００５】
本発明はこのような問題点に鑑みてなされたものであり、装飾品本来の価値を損なうことなく、指に対する装着感に優れた指輪を提供することを目的とする。
【課題を解決するための手段】
【０００６】
本発明の指輪は、複数の片を連結して成る環状体を有する指輪であって、前記環状体の一部を構成し内部寸法の調節に用いられる調節片と、前記調節片に連結され前記環状体の残部を構成する複数の連結片とを具備し、前記調節片とこれに隣接する前記連結片との連結部分に、当該調節片とこれに隣接する前記連結片とを離接する離接機構を備えたことを特徴とする。
【０００７】
本発明の指輪によれば、環状体の内部寸法の調節に用いられる調節片とこれに隣接する連結片との連結部分に、これらを離接する離接機構を備えたことから、当該指輪が装着される指の太さに応じて環状体の内部寸法を調節することができるので、指における装着箇所が指の最も太い部分と比べて細い場合においても、装飾品本来の価値を損なうことなく、指に対する装着感に優れた指輪を提供することが可能となる。
【０００８】
例えば、上記指輪において、前記調節片及びこれに隣接する前記連結片は、一方が他方側に向けて延在し内部に溝部が形成された挿入部を有し、他方が前記挿入部を収容する収容部と、前記収容部内に配置され前記溝部内を移動可能な保持部材とを有する。この場合には、一方の挿入部の内部に形成された溝部内を、他方の収容部内に配置された保持部材が移動可能としたことから、当該保持部材の移動に応じて、調節片とこれに隣接する連結片とを離接することが可能となる。
【０００９】
特に、上記指輪において、前記溝部は、前記保持部材を段階的に移動させる形状を有することが好ましい。この場合には、溝部内を、保持部材が段階的に移動できるので、装着される指の太さに応じた適切な環状体の内部寸法になるように、段階的に調節片とこれに隣接する連結片とを離接することが可能となる。
【００１０】
また、上記指輪においては、前記溝部の内壁に、前記保持部材の移動を規制する規制部材を形成することが好ましい。この場合には、規制部材により保持部材の移動が規制されるので、使用者の意図に反して容易に保持部材が移動する事態を防止することが可能となる。
【００１１】
例えば、上記指輪において、前記保持部材は、弾性材料で形成される。このように保持部材を弾性部材で形成することにより、保持部材が有する弾性を利用して確実に保持部材が停止した位置を維持することが可能となる。
【００１２】
なお、上記指輪において、前記溝部の内壁に、前記保持部材が摺接する摺接層を配設するようにしても良い。この場合には、摺接層の間を、保持部材が摺接しながら移動することから、保持部材の移動がある程度規制されるので、装着される指の太さに応じた適切な環状体の内部寸法になるように、調節片とこれに隣接する連結片とを離接することが可能となる。
【００１３】
例えば、上記指輪において、前記摺接層は、弾性材料で形成される。このように摺接層を弾性部材で形成することにより、保持部材に対して常に一定の圧力を加えることができるので、使用者の所望の位置で保持部材を停止させることが可能となる。
【発明の効果】
【００１４】
本発明によれば、環状体の内部寸法の調節に用いられる調節片とこれに隣接する連結片との連結部分に、これらを離接する離接機構を備えたことから、装着される指の太さに応じて環状体の内部寸法を調節することができるので、装飾品本来の価値を損なうことなく、指に対する装着感に優れた指輪を提供するが可能となる。
【発明を実施するための最良の形態】
【００１５】
以下、本発明の実施の形態について添付図面を参照して詳細に説明する。
（実施の形態１）
図１は、本発明の実施の形態１に係る指輪の斜視図である。本実施の形態に係る指輪１０は、図１に示すように、調節片１１と、第１連結片１２〜第３連結片１４とを連結して構成される環状体１５を有している。調節片１１、並びに、第１連結片１２〜第３連結片１４は、それぞれ円弧形状を有している。
【００１６】
なお、本実施の形態においては、調節片１１と組み合わせて環状体１５を構成する連結片を３つ備える場合について説明するが、連結片の数については適宜変更が可能である。また、本実施の形態においては、単一の調節片１１を備える場合について説明するが、複数の調節片１１を備えることも可能である。さらに、本実施の形態においては、指輪１０が円環形状を有する場合について説明するが、これに限定されず、他の環状体にも適用することが可能である。
【００１７】
調節片１１は、第１連結片１２と第３連結片１４との間に連結されている。特に、指輪１０のサイズ（内部寸法：本実施の形態では内径）を調節できるように、第１連結片１２及び第３連結片１４に対して水平移動可能に連結されている。なお、調節片１１と第１連結片１２及び第３連結片１４との連結部分の構造については後述する。
【００１８】
第１連結片１２における調節片１１の反対側の端部は、第２連結片１３の一端に連結され、第３連結片１４における調節片１１の反対側の端部は、第２連結片１３の他端に連結されている。つまり、第２連結片１３は、第１連結片１２と第３連結片１４との間に連結されている。第１連結片１２〜第３連結片１４は、互いの連結部分を支点として一定範囲で揺動可能に構成されている。
【００１９】
なお、第１連結片１２と第２連結片１３との連結部分、並びに、第３連結片１４と第２連結片１３との連結部分については、互いに揺動可能に連結されることを条件として、いかなる構造をであっても良い。例えば、図１に示すように、第２連結片１３の両端部に、第１連結片１２及び第３連結片１４側に突出する挿入部１３ａ、１３ｂを設ける一方、これらの挿入部１３ａ、１３ｂを収容する収容部１２ａ、１４ａを第１連結片１２及び第３連結片１４に設ける。そして、挿入部１３ａ（１３ｂ）及び収容部１２ａ（１４ａ）における対向する面の一方に凸部を設ける一方、他方に当該凸部を収容する凹部を設けるようにしても良い。なお、図１においては、挿入部１３ｂ及び収容部１４ａを省略している。
【００２０】
ここで、調節片１１と第１連結片１２及び第３連結片１４との連結部分の構造について、図１を参照しながら図２を用いて説明する。図２は、本実施の形態に係る指輪１０の調節片１１と第１連結片１２との連結部分を拡大した模式図である。図２（ａ）は、これらの連結部分の正面図について示し、図２（ｂ）は、これらの連結部分の側面図について示している。なお、図２においては、説明の便宜上、調節片１１と第１連結片１２との連結が解除された状態について示すが、実際上、これらは常に連結された状態で維持される。また、第３連結片１４との連結部分については、第１連結片１２との連結部分と同様であるため、その説明を省略する。
【００２１】
図１に示すように、調節片１１の端部には、第１連結片１２、第３連結片１４の端部に設けられた挿入部１２ｂ、１４ｂを収容する収容部１１ａ、１１ｂが設けられている。これらの挿入部１２ｂ、１４ｂ、並びに、収容部１１ａ、１１ｂで離接機構が構成される。なお、挿入部１２ｂ、１４ｂは、第１連結片１２、第３連結片１４の中央部分において、その端部から調節片１１側に突出するように設けられている。
【００２２】
収容部１１ａ、１１ｂには、その端部近傍に貫通孔１１ｃ、１１ｄが形成されている。これらの貫通孔１１ｃ、１１ｄには、環状体１５の幅と略一致する長さの軸芯１１ｅ、１１ｆが挿通されている。軸芯１１ｅ、１１ｆは、例えば、ステンレス等の金属で構成される。貫通孔１１ｃに挿通された軸芯１１ｅにおいて、収容部１１ａから露出する部分には、図２（ａ）に示すように、保持部材１１ｇが取り付けられている。保持部材１１ｇは、図２（ｂ）に示すように、円筒形状を有しており、例えば、一定の弾性を有するシリコーン樹脂で構成される。
【００２３】
一方、収容部１１ａに収容される挿入部１２ｂには、図２（ｂ）に示すように、保持部材１１ｇが左右方向に段階的に移動可能な溝部１２ｃが形成されている。例えば、溝部１２ｃは、図２（ｂ）に示すように、保持部材１１ｇの外周形状に対応する円弧形状の穴部が左右方向に連結された形状を有する。溝部１２ｃにおける各円弧形状の穴部の間には、図２（ｂ）に示す上下方向に突出する、規制部材としての突起１２ｄが形成されている。突起１２ｄは、溝部１２ｃ内における保持部材１１ｇの移動を規制する。
【００２４】
次に、上記構成を有する指輪１０のサイズ（内径）を調節する場合における動作について図３及び図４を用いて説明する。図３は、本実施の形態に係る指輪１０のサイズを伸ばしていない状態、つまり、通常の状態について示す模式図であり、図４は、指輪１０のサイズを伸ばした状態について示す模式図である。特に、図４においては、指輪１０のサイズを最大限まで伸ばした状態について示している。なお、図３（ｂ）及び図４（ｂ）においては、説明の便宜上、軸芯１１ｅを省略している。
【００２５】
図３に示すように、指輪１０のサイズを伸ばしていない状態においては、第１連結片１２の挿入部１２ｂが、調節片１１の収容部１１ａに入り込み、調節片１１の左端部と、第１連結片１２の右端部とが密着した状態となっている。なお、指輪１０のサイズを伸ばしていない状態においては、調節片１１と第３連結片１４との間もこのように密着した状態となっている。
【００２６】
このとき、収容部１１ａ内に配置された保持部材１１ｇは、図３（ｂ）に示すように、挿入部１２ｂに形成された溝部１２ｃの最も左方側の位置に収容された状態となっている。なお、このような状態において、保持部材１１ｇは、溝部１２ｃに形成された突起１２ｄにより右方側への移動が規制されるため、指輪１０のサイズを伸ばす力が加えられる場合を除き、当該位置で第１連結片１２を保持する。この結果、指輪１０は、サイズを伸ばしていない、通常の状態を維持することとなる。
【００２７】
一方、図４に示すように、指輪１０のサイズを伸ばした状態においては、第１連結片１２の挿入部１２ｂが、調節片１１の収容部１１ａから左方側に退避し、調節片１１の左端部と、第１連結片１２の右端部とが離間した状態となっている。なお、指輪１０のサイズを伸ばした状態においては、調節片１１と第３連結片１４との間もこのように離間した状態となっている。
【００２８】
このとき、収容部１１ａ内に配置された保持部材１１ｇは、図４（ｂ）に示すように、挿入部１２ｂに形成された溝部１２ｃの最も右方側の位置に収容された状態となっている。なお、このような状態において、保持部材１１ｇは、溝部１２ｃに形成された突起１２ｄにより左方側への移動が規制されるため、指輪１０のサイズを縮める力が加えられる場合を除き、当該位置で第１連結片１２を保持する。この結果、指輪１０は、そのサイズを伸ばした状態を維持することとなる。
【００２９】
このような実施の形態１に係る指輪１０を指に装着する場合には、まず、図３に示す通常の状態から、調節片１１と第１連結片１２及び第３連結片１４とを離間させ、図４に示すように指輪１０のサイズを伸ばした状態とする。そして、このようにサイズを伸ばした状態で指に嵌め、装着される指の最も太い部分を通過させる。その後、指輪１０が指における装着箇所まで到達したならば、図４に示す状態から調節片１１と第１連結片１２及び第３連結片１４とを密着させ、図３に示す通常の状態に戻す。
【００３０】
このように実施の形態１に係る指輪１０においては、調節片１１と第１連結片１２及び第３連結片１４との連結部分に、これらを離接する離接機構を備えたことから、装着される指の太さに応じて指輪１０のサイズを調節することができる。具体的には、図８に示すように、装着される指の最も太い部分を通過させる際、調節片１１によりサイズを伸ばす一方、指の装着箇所でサイズを縮めるようにする。これにより、指における装着箇所が指の最も太い部分と比べて細い場合においても、上記離接機構によりその差分を吸収することができるので、装飾品本来の価値を損なうことなく、指に対する装着感に優れた指輪１０を提供することが可能となる。
【００３１】
また、実施の形態１に係る指輪１０においては、第１連結部１２及び第３連結部１４が調節片１１に向けて延在し、内部に溝部１２ｃが形成された挿入部１２ｂを有し、調節片１１が挿入部１２ｂを収容する収容部１１ａと、収容部１１ａ内に配置され、溝部１２ｃ内を移動可能な保持部材１１ｇとを有する。これにより、挿入部１２ｂの内部に形成された溝部１２ｃ内を、収容部１１ａ内に配置された保持部材１１ｇが移動するようにしたので、保持部材１１ｇの移動に応じて、調節片１１と第１連結部１２及び第３連結部１４とを離接することが可能となる。
【００３２】
特に、実施の形態１に係る指輪１０においては、溝部１２ｃを、保持部材１１ｇを段階的に移動させる形状としている。これにより、溝部１２ｃ内を、保持部材１１ｇが段階的に移動できるので、装着される指の太さに応じた適切な指輪１０の内径になるように、段階的に調節片１１と第１連結部１２及び第３連結部１４とを離接することが可能となる。
【００３３】
また、実施の形態１に係る指輪１０においては、溝部１２ｃの内壁に、保持部材１１ｇの移動を規制する突起１２ｄを形成している。これにより、突起１２ｄにより保持部材１１ｇの移動が規制されるので、使用者の意図に反して容易に保持部材１１ｇが移動する事態を防止することが可能となる。
【００３４】
さらに、実施の形態１に係る指輪１０においては、保持部材１１ｇを、弾性材料としてのシリコーン樹脂で形成している。このように保持部材１１ｇをシリコーン樹脂で形成することにより、シリコーン樹脂が有する弾性を利用して確実に保持部材１１ｇが停止した位置を維持することが可能となる。
【００３５】
なお、本発明は上記実施の形態に限定されず、種々変更して実施することが可能である。特に、添付図面に図示されている形状の指輪に限定されるものではなく、もちろん宝石を取り付けた指輪に適用できる。
また、上記実施の形態において、添付図面に図示されている大きさにも限定されるわけではないから、例えば、バングル、アンクレット等の他の環状装身具においても本発明は適用される。
【００３６】
例えば、上記実施の形態においては、第１連結片１２の挿入部１２ｂに形成される溝部１２ｃの形状を、保持部材１１ｇの外周形状に対応する円弧形状の穴部が連結された形状としているが、溝部１２ｃの形状については、これに限定されるものではなく、適宜変更が可能である。溝部１２ｃは、保持部材１１ｇの移動を一定の位置で規制することを条件として、いかなる形状としても良い。例えば、図５に示すように、溝部１２ｃの下面部に保持部材１１ｇの外周形状に対応する円弧形状を設ける一方、これに対向する上面部を平面形状としても良い。このように変更した場合には、上記実施の形態で得られる効果に加え、突起１２ｄが一方の面にのみ形成されることから、保持部材１１ｇの移動をある程度許容しつつ、当該移動を規制することができるので、サイズの調節を容易に行うことが可能な指輪１０を提供することが可能となる。
【００３７】
また、上記実施の形態においては、金属製の軸芯１１ｅ、１１ｆにシリコーン樹脂等で構成される保持部材１１ｇを取り付ける場合について示しているが、保持部材１１ｇの構成については、これに限定されるものではなく、適宜変更が可能である。保持部材１１ｇの溝部１２ｃ内における移動を規制することを条件として、いかなる構成を採っても良い。例えば、図６に示すように、保持部材１１ｇと軸芯１１ｈとをシリコーン樹脂等により一体に成形するようにしても良い。このように変更した場合には、上記実施の形態で得られる効果に加え、保持部材１１ｇと軸芯１１ｈとが一体成形されることから、保持部材１１ｇを軸芯１１ｅ、ｆに取り付ける作業を省略することができるので、指輪１０の製造時における作業効率を高めることが可能となる。
【００３８】
（実施の形態２）
実施の形態１に係る指輪１０においては、第１連結片１２に挿入部１２ｂを設ける一方、調節片１１に収容部１１ａを設け、収容部１１ａ内に配置される保持部材１１ｇと挿入部１２ｂに形成される溝部部１２ｃとによってこれらを連結する場合について示している。実施の形態２に係る指輪１０においては、第１連結片１２に収容部を設けると共に、当該収容部内に保持部材を配置し、当該保持部材と、調節片１１内に形成される溝部とによってこれらを連結する点で実施の形態１に係る指輪１０と相違する。
【００３９】
図７は、本発明の実施の形態２に係る指輪１０の調節片１１と第１連結片１２及び第３連結片１４との連結部分を拡大した模式図である。図７（ａ）は、これらの連結部分の正面図について示し、図７（ｂ）は、これらの連結部分の側面図について示している。なお、図７において、図２と同様の構成については、同一の符号を付し、その説明を省略する。
【００４０】
図７に示すように、第１連結片１２及び第３連結片１４における調節片１１側の端部には、調節片１１の端部を収容する収容部１２ｅ、１４ｅが設けられている。実施の形態２に係る指輪１０においては、調節片１１の端部自体が実施の形態１に係る挿入部１２ｂ、１４ｂに相当する。収容部１２ｅ、１４ｅには、その端部近傍に貫通孔１２ｆ、１４ｆが形成されている。これらの貫通孔１２ｆ、１４ｆには、環状体１５の幅と一致する長さの軸芯１２ｇ、１４ｇが挿通されている。例えば、軸芯１２ｇ、１４ｇは、ステンレス等の金属で構成される。
【００４１】
貫通孔１２ｆ、１４ｆにそれぞれ挿通された軸芯１２ｇ、１４ｇにおいて、収容部１２ｅ、１４ｅから露出する部分には、図７（ａ）に示すように、保持部材１２ｈ、１４ｈが取り付けられている。保持部材１２ｈ、１４ｈは、図７（ｂ）に示すように、円筒形状を有しており、例えば、ステンレス等の金属で構成される。なお、軸芯１２ｇ（１４ｇ）と、保持部材１２ｈ（１４ｈ）とを一体とすることも可能である。
【００４２】
一方、調節片１１の内部には、図７（ｂ）に示すように、保持部材１２ｈ、１４ｈが左右方向に移動可能な溝部１１ｉが形成されている。溝部１１ｉは、保持部材１２ｈ、１４ｈの直径と略同一の厚みを有している。溝部１１ｉの内側部分には、シリコーン樹脂等で構成される摺接層１１ｊが形成されている。保持部材１２ｈ、１４ｈは、摺接層１１ｊの間を摺接しながら移動することから、保持部材１２ｈ、１４ｈの移動は、ある程度規制されることとなる。
【００４３】
なお、実施の形態２に係る指輪１０において、そのサイズを調節する場合の動作、並びに、指に装着する場合の動作は、実施の形態１に係る指輪１０と実質的に同一である。従って、実施の形態２に係る指輪１０においても、装着される指の最も太い部分を通過させる際、調節片１１によりサイズを伸ばす一方、指の装着箇所でサイズを縮めるようにすることにより、指における装着箇所がその最も太い部分と比べて細い場合においても、その差分を吸収することができるので、装飾品本来の価値を損なうことなく、指に対する装着感に優れた指輪１０を提供することが可能となる。
【００４４】
特に、実施の形態２に係る指輪１０においては、溝部１１ｉの内壁に、保持部材１２ｈ、１４ｈが摺接する摺接層１１ｊを配設している。これにより、保持部材１２ｈ、１４ｈが摺接層１１ｊの間を摺接しながら移動することから、ある程度、これらの移動が規制されるので、装着される指の太さに応じた適切な指輪１０の内径になるように、調節片１１と第１連結片１２及び第３連結片１４とを離接することが可能となる。
【００４５】
また、実施の形態２に係る指輪１０においては、摺接層１１ｊを、弾性材料としてのシリコーン樹脂で形成している。このように摺接層１１ｊをシリコーン樹脂で形成することにより、保持部材１２ｈ、１４ｈに対して常に一定の圧力を加えることができるので、使用者の所望の位置で保持部材１２ｈ、１４ｈを停止させることが可能となる。
【図面の簡単な説明】
【００４６】
【図１】本発明の実施の形態１に係る指輪の斜視図である。
【図２】実施の形態１に係る指輪の調節片と第１連結片との連結部分を拡大した模式図である。
【図３】実施の形態１に係る指輪のサイズを伸ばしていない状態（通常の状態）について示す模式図である。
【図４】実施の形態１に係る指輪のサイズを伸ばした状態について示す模式図である。
【図５】実施の形態１の変形例に係る指輪の連結部に形成される溝部の模式図である。
【図６】実施の形態１の変形例に係る指輪の調節片に取り付けられる保持部材の模式図である。
【図７】本発明の実施の形態２に係る指輪の調節片と第１連結片及び第３連結片との連結部分を拡大した模式図である。
【図８】本発明の使用方法を示す平面図である。
【符号の説明】
【００４７】
１０  指輪
１１  調節片
１１ａ、１１ｂ  収容部
１１ｇ  保持部材
１１ｉ  溝部
１１ｊ  摺接層
１２  第１連結片
１２ｂ、１４ｂ  挿入部
１２ｃ  溝部
１２ｄ  突起
１２ｅ、１４ｅ  収容部
１３  第２連結片
１４  第３連結片
１５  環状体
【図１】
2008023002.tif 000003
【図２】
2008023002.tif 000004
【図３】
2008023002.tif 000005
【図４】
2008023002.tif 000006
【図５】
2008023002.tif 000007
【図６】
2008023002.tif 000008
【図７】
2008023002.tif 000009
【図８】
2008023002.tif 000010